(57)【要約】【課題】ＰＴＳと内部ＳＴＣに揺らぎが発生する場合でも、符号化器が意図したタイミングで画像データ、音声データを同期出力する。【解決手段】システムテ゛コータ゛分離部３００は入力ストリームより符号化ストリーム・ＰＴＳ情報を分離する。音声復号部３０１は符号化音声データを、画像復号部３０２は符号化画像データを復号する。音声遅延メモリ３０３は音声復号データ出力を、画像遅延メモリ３０５は画像復号データ出力を遅延させる。ＰＴＳ比較部３０４は画像・音声ＰＴＳの位相差を比較する。音声ＰＴＳ予測部３０６は与えられた音声ＰＴＳより次フレームのＰＴＳを、画像ＰＴＳ予測部３０７は与えられた画像ＰＴＳより次フレームのＰＴＳを予測する。音声位相ずれ検出部３０８は音声ＰＴＳ予測値と音声ＰＴＳを比較し、画像位相ずれ検出部３０９は画像ＰＴＳ予測値と画像ＰＴＳを比較する。画像・音声位相ずれ検出部３１０は画像と音声の位相ずれ量を比較する。【選択図】　　　　図１
2004023686.tif 000002
【特許請求の範囲】
【請求項１】
出力指定時刻情報（以降ＰＴＳ情報という）を含み、ＭＰＥＧ２方式で符号化されたデータ（以下、符号化データという）を復号し、前記ＰＴＳ情報に基づいて復号データを出力するＭＰＥＧ２デコーダにおいて、
前記ＰＴＳ情報から次のＰＴＳ情報を予測する手段と、前記符号化データを復号する手段と、復号された画像データおよび音声データを出力する手段と、前記復号された画像データの出力タイミングと前記復号された音声データの出力タイミングの位相ずれを検出する手段を備えたことを特徴とするＭＰＥＧ２デコーダ。
【請求項２】
復号したデータの出力タイミングを調整する手段を設け、常に前記位相ずれの値に基づき復号したデータの出力タイミングを調整することを特徴とする請求項１に記載のＭＰＥＧ２デコーダ。
【請求項３】
復号したデータの出力タイミングを調整する調整手段と、閾値を保存する手段を設け、前記調整手段は、位相ずれの値が前記閾値を超える場合のみ復号したデータの出力タイミングを調整することを特徴とする請求項１に記載のＭＰＥＧ２デコーダ。
【請求項４】
閾値を外部から入力する手段を設けたことを特徴とする請求項３に記載のＭＰＥＧ２デコーダ。
【請求項５】
復号したデータの出力タイミングを調整する手段と、位相ずれ検出の監視周期を保存する手段を設け、
前記監視周期で前記位相ずれの値に基づき復号したデータの出力タイミングを調整することを特徴とする請求項１に記載のＭＰＥＧ２デコーダ。
【請求項６】
監視周期を外部から入力する手段を設けたことを特徴とする請求項５に記載のＭＰＥＧ２デコーダ。
【発明の詳細な説明】
【０００１】
【発明の属する技術分野】
この発明は符号化データを復号し、該データに含まれるＰＴＳ（Ｐｒｅｓｅｎｔａｔｉｏｎ　Ｔｉｍｅ　Ｓｔａｍｐ）情報に基づいてこの復号データを出力する装置に関する。
【０００２】
【従来の技術】
国際符号化標準ＭＰＥＧ２に代表される画像、音声の圧縮技術はその高画質性と高い圧縮効率から放送分野への採用が普及しつつある。以下ＭＰＥＧ２の復号の概要を説明する。
ＭＰＥＧ２では画像と音声が別々に符号化される。このため、復号時に両者の同期をとるためにパック単位で付与されるＰＥＳ（Ｐａｃｋｅｔｉｚｅｄ　Ｅｌｅｍｅｎｔａｒｙ　Ｓｔｒｅａｍ）、パケット単位で付与されるＰＴＳという出力指定時刻情報とデコーダ内部で基準時間として持つＳＴＣ（Ｓｙｓｔｅｍ　Ｔｉｍｅ　Ｃｌｏｃｋ）との位相関係を使用する。
（時刻基準参照値ＰＣＲ（Ｐｒｏｇｒａｍ　Ｃｌｏｃｋ　Ｒｅｆｅｒｅｎｃｅ）も必要であるが本特許では使用しないので記述しない。）
【０００３】
図６はＭＰＥＧ２による符号化データ（ビットストリーム）のデータ構造例を示す図である。
符号化データの１単位であるパックは、パックに関する情報を格納するパックヘッダ１０１、画像の符号化データを格納する画像ＰＥＳ（Ｐａｃｋｅｔｉｚｅｄ　ＥｌｅｍｅｎｔａｒｙＳｔｒｅａｍ）パケット１０２、音声の符号化データを格納する音声ＰＥＳパケット１０３からなる。ＰＥＳパケットは画像符号化データ（エレメンタリーストリーム）及び音声符号化データ（エレメンタリーストリーム）を可変長でパケット化したものである。画像ＰＥＳパケット１０２及び音声ＰＥＳパケット１０３はそれぞれＰＥＳヘッダ１０４，１０５を持ち、これらの中にＰＴＳ１０６，１０７が格納される。１つのＰＥＳパケットは、同じＰＩＤ（Ｐａｃｋｅｔ　ＩＤｅｎｔｉｆｉｃａｔｉｏｎ：１３ビットのストリーム識別情報で当該パケットの個別ストリームの属性を表す）番号を持つ複数のＴＳ（Ｔｒａｎｓｐｏｒｔ　Ｓｔｒｅａｍ）パケット１０８からなる。ＴＳパケットは１８８バイトの固定長パケットで、４バイトのＴＳヘッダ１０９とペイロード１１０からなる。
【０００４】
ＰＴＳは、ＭＰＥＧシステム復号器内部のＳＴＣがＰＴＳに一致した場合に、当該ＰＥＳパケットを表示または出力（以下単に出力と称す）するため情報である。ＰＴＳの精度は９０ｋＨｚのクロックで計測した値を３３ビットで表す。ＰＴＳは符号化器が符号化の際に復号器のために付与する。例えば、ＳＴＣがＴ０であり、復号器がＰＥＳパケットを受け取った瞬間からｔ１秒後に復号した画像データを出力し、復号器がＰＥＳパケットを受け取った瞬間からｔ２秒後に復号した音声データを出力させたい場合、画像ＰＴＳを「Ｔ０＋ｔ１」，音声ＰＴＳを「Ｔ０＋ｔ２」とする。実際には符号化器、復号器の内部の符号化、及び復号処理時間を考慮した前記ｔ１、前記ｔ２を符号化器が付与する。
【０００５】
図７にＰＴＳを用いた画像・音声の同期システムの基本概念図を示す。
デコーダのシステムデコーダ分離部２００では入力ストリームから音声・画像の各符号化ストリームを分離すると同時に、それぞれのＰＴＳを分離する。その後それぞれのストリーム復号時、音声復号部２０１、画像復号部２０２において異なる復号遅延が発生する。
ＰＴＳ比較部２０４では、それぞれのＰＴＳの差分を算出し、画像・音声どちらの位相に出力を合わせるか判断する。上記判断結果に応じて片方の出力を遅延させて両者を同期させる。この遅延は遅延メモリ２０３，２０５において別々に発生した遅延の差分を含めて制御される。
【０００６】
音声データ出力・画像データ出力の速度は互いに異なる一定の速度でデータ出力される。
【０００７】
【発明が解決しようとする課題】
以上のようにＭＰＥＧ２復号器において復号した画像・音声データを符号化器が意図したタイミングで出力させるためには、符号化器が付与するＰＴＳと復号器側で再生されるＳＴＣに誤差が無いことが必要である。また放送分野ではＭＰＥＧ２システムを使用する場合、音声と画像の同期は数ｍｓの精度で合っていることが要求される。
しかしながら符号化器の状態や符号化器と復号器との間の伝送路の状態によって映像・音声ストリームに付加されたＰＴＳと復号器内部ＳＴＣの位相に揺らぎが発生する場合は、そのＰＴＳを用いた出力制御を行うと画像データまたは音声データの出力タイミングが正しいタイミングとならず、画像データ・音声データ位相がずれるために要求精度を満足しない場合が発生する。
【０００８】
その場合ＭＰＥＧ２規格構成では符号化器にしたがって動くことを前提としているため各ストリーム単位にＰＴＳが付加され、各復号器はそのＰＴＳにしたがって動作することで画像と音声の位相を一致させることができる。この場合、画像と音声のデータ出力位相を監視してフィードバックするような機構を持っていない。そのため、画像・音声のデータ出力位相がどれだけ揺らいだか検出することができずお互い独立して復号・再生することとなる。
【０００９】
この発明は上記のような問題点を解消するためになされたもので、ＰＥＳパケットに格納されるＰＴＳと内部ＳＴＣに揺らぎが発生する場合でも、画像・音声データの出力位相ずれを検出し、符号化器が意図したタイミングで画像データ、音声データを同期出力することを実現するＭＰＥＧ２デコーダを提供することを目的とする。
【００１０】
【課題を解決するための手段】
この発明に係るＭＰＥＧ２デコーダは、出力指定時刻情報（以降ＰＴＳ情報という）を含み、ＭＰＥＧ２方式で符号化されたデータ（以下、符号化データという）を復号し、前記ＰＴＳ情報に基づいて復号データを出力するＭＰＥＧ２デコーダにおいて、
前記ＰＴＳ情報から次のＰＴＳ情報を予測する手段と、前記符号化データを復号する手段と、復号された画像データおよび音声データを出力する手段と、前記復号された画像データの出力タイミングと前記復号された音声データの出力タイミングの位相ずれを検出する手段を備えたものである。
【００１１】
また、この発明に係るＭＰＥＧ２デコーダは、復号したデータの出力タイミングを調整する手段を設け、常に前記位相ずれの値に基づき復号したデータの出力タイミングを調整するものである。
【００１２】
また、この発明に係るＭＰＥＧ２デコーダは、復号したデータの出力タイミングを調整する調整手段と、閾値を保存する手段を設け、前記調整手段は、位相ずれの値が前記閾値を超える場合のみ復号したデータの出力タイミングを調整するようにしたものである。
【００１３】
また、この発明に係るＭＰＥＧ２デコーダは、閾値を外部から入力する手段を設けたものである。
【００１４】
また、この発明に係るＭＰＥＧ２デコーダは、復号したデータの出力タイミングを調整する手段と、位相ずれ検出の監視周期を保存する手段を設け、
前記監視周期で前記位相ずれの値に基づき復号したデータの出力タイミングを調整するようにしたものである。
【００１５】
また、この発明に係るＭＰＥＧ２デコーダは、監視周期を外部から入力する手段を設けたものである。
【００１６】
【発明の実施の形態】
実施の形態１．
図１はこの発明の実施の形態１におけるＭＰＥＧ２デコーダの概略構成図である。
図１において、
３００は入力ストリームより符号化ストリーム・ＰＴＳ・その他必要な情報を分離するシステムテ゛コータ゛分離部である。
３０１は符号化音声データを復号する音声復号部である。
３０２は符号化画像データを復号する画像復号部である。
３０３は音声復号データ出力を遅延させる音声遅延メモリである。
３０４は画像・音声ＰＴＳの位相差を比較するＰＴＳ比較部である。
３０５は画像復号データ出力を遅延させる画像遅延メモリである。
３０６は与えられた音声ＰＴＳより次フレームのＰＴＳを予測する音声ＰＴＳ予測部である。
３０７は与えられた画像ＰＴＳより次フレームのＰＴＳを予測する画像ＰＴＳ予測部である。
３０８は音声ＰＴＳ予測値と音声ＰＴＳを比較する音声位相ずれ検出部である。
３０９は画像ＰＴＳ予測値と画像ＰＴＳを比較する画像位相ずれ検出部である。
３１０は画像と音声の位相ずれ量を比較する画像・音声位相ずれ検出部である。３１１は音声出力を行なうためにリングバッファ構成されたアト゛レス音声出力制御メモリである。
３１２は画像出力を行なうためにリングバッファ構成されたアト゛レス画像出力制御メモリである。
３１３は音声復号データを書込むためのデータ書込部である。
３１４は画像復号データを書込むためのデータ書込部である。
３１５は音声出力制御メモリに書込まれた音声復号データを実データ出力速度で読み出すためのデータ読出部である。
３１６は画像出力制御メモリに書込まれた画像復号データを実データ出力速度で読み出すためのデータ読出部である。
【００１７】
図１のＭＰＥＧ２デコーダにおいて、システムテ゛コータ゛分離部３００では入力ストリームから音声・画像の各符号化ストリームを分離すると同時に、それぞれのＰＴＳを分離する。その後それぞれのストリーム復号時、音声復号部３０１、画像復号部３０２において異なる復号遅延が発生する。
ＰＴＳ比較部３０４では、それぞれのＰＴＳ差分を算出し、画像・音声どちらの位相に出力位相を合わせるか判断する。上記判断結果に応じて出力を遅延させて両者を同期させる。
この遅延は遅延メモリ３０３，３０５において別々に発生した遅延の差分を含めて制御される。
【００１８】
このとき前述したように入力された復号データはある一定速度で出力されることよりデータ１ｂｉｔの出力にかかる時間は画像・音声それぞれ固定となる。
【００１９】
図２はこの実施の形態におけるＰＴＳ予測の概略図である。図３はこの実施の形態におけるＰＴＳ予測動作のフローチャートである。カウントタイミンク゛信号・予測ＰＴＳ取得タイミンク゛信号は別ユニットにて処理される。下記に動作概要を説明する。
【００２０】
まず、ＰＴＳ予測開始しているかチェックを行ない（ステップＳ１）、ＰＴＳ予測開始していない場合、次にＰＴＳを受信したかチェックする。（ステップＳ２）受信できている場合はシステムテ゛コータ゛分離部４００より分離したＰＴＳｎはＰＴＳ予測部４０８に設定される。（ステップＳ３）
【００２１】
次に、符号化データを取得完了しているかチェックを行ない（ステップＳ４）、受信できている場合はシステムテ゛コータ゛分離部４００より分離した符号化データｎは復号部４０１に転送される（ステップＳ５）。
その後復号完了しているかチェックを行ない（ステップＳ６）、復号完了しているなら復号データｎを出力制御メモリにテ゛ータ書込部４０３が転送する（ステップＳ７）。転送完了後データ読出部４０５に読出指示を行なう（ステップＳ８）。
その後読出し指示を受けたテ゛ータ読出部４０５によってリンク゛ハ゛ッファである出力制御メモリ４０４に書込まれた復号テ゛ータはアト゛レスを指定され各復号データ再生時の速度で読出される。
また設定されたＰＴＳｎは復号データ読出のたび（ステップＳ２１）に読出速度単位時間ずつＰＴＳ加算部にて加算される。（ステップＳ２０）
【００２２】
また、ステップｓ１においてＰＴＳ予測開始している場合、次ＰＥＳ上のＰＴＳｎ＋１の情報が受信できたかチェックを行ない（ステップＳ９）、取得したＰＴＳｎ＋１を位相ずれ検出部４０９に設定する。（ステップＳ１０）
同様に符号化データｎ＋１を取得完了しているかチェックを行ない（ステップＳ１１）、符号化データを受信できている場合はシステムテ゛コータ゛分離部４００より分離した符号化データｎ＋１を復号部４０１に転送する（ステップＳ１２）。その後、復号完了しているかチェックを行ない（ステップＳ１３）、復号完了しているなら復号データｎ＋１を出力制御メモリ４０４に転送する（ステップＳ１４）。
【００２３】
出力制御メモリ４０４に書込まれた復号テ゛ータｎ＋１の書込開始アト゛レスを指定アト゛レス読出開始検出部４０６に設定する（ステップＳ１５）。指定アドレス読出開始検出部４０６は読出アト゛レスが復号テ゛ータｎ＋１の書込開始アト゛レスと一致したか監視する。読出アト゛レスが一致したときに指定アドレス読出開始検出部４０６からＰＴＳ予測部４０８に対して予測ＰＴＳ取得タイミンク゛信号を通知する。予測ＰＴＳ取得タイミンク゛信号を通知されたＰＴＳ予測部４０８はＰＴＳ加算部で算出されたＰＴＳ予測値を取得して位相ずれ検出部４０９に通知する。（ステップＳ１６）
【００２４】
ＰＴＳ予測値を通知された位相ずれ検出部４０９は設定されたＰＴＳｎ＋１とＰＴＳ予測値を比較して位相ずれ時間を検出し、現在の出力テ゛ータ位相ずれ時間を検出する（ステップＳ１７）。また、その次の予測動作のためにＰＴＳｎ＋１をＰＴＳ予測部４０８に設定する。（ステップＳ１８）
【００２５】
上記方法で図１の音声ＰＴＳ予測部３０６は音声復号データ出力を行ないながら次の音声ＰＴＳ予測を開始する。音声位相ずれ検出部３０８は音声ＰＴＳ予測部より渡された音声ＰＴＳ予測値とシステムテ゛コータ゛分離部３００より渡された音声ＰＴＳを比較し音声復号開始からの位相ずれ時間を検出する。同様にして画像ＰＴＳ予測部３０７は画像位相ずれ検出部３０９にて予測した画像ＰＴＳ予測値とシステムテ゛コータ゛分離部３００より渡された画像ＰＴＳを比較し音声復号開始からの位相ずれ時間を検出する。双方の位相ずれ時間情報は音声・画像位相ずれ検出部３１０に通知され、音声・画像双方の位相ずれ時間を比較することによって画像・音声出力が現在どれだけずれているか検出することが可能となる。
【００２６】
実施の形態２．
この実施の形態２では実施の形態１の音声・画像位相ずれ検出部３１０から映像・音声遅延メモリ３０３・３０５に位相ずれ補正値を通知する機能と、画像・音声位相ずれ検出部３１０にて検出された位相差より画像・音声に対する補正値を計算する機能を追加することによって音声・画像遅延を自動調整して音声・画像テ゛ータの位相が一致するよう動作するＭＰＥＧ２テ゛コータ゛装置について説明を行なう。なおシステム構成については実施の形態１と同一であるため省略する。
【００２７】
ＭＰＥＧ２テ゛コータ゛のテ゛ータ経路は実施の形態１と同一であるため省略する。
【００２８】
画像・音声テ゛ータの位相ずれ検出までの動作は実施の形態１と同一であるため省略する。
【００２９】
画像・音声位相ずれ検出部３１０にて画像・音声データの位相ずれを検出すると共に、検出された画像・音声テ゛ータの位相ずれより画像・音声の補正値を算出する。算出した補正値はそれぞれ画像・音声遅延メモリ３０３・３０５に補正値として設定されることによって常に画像・音声の位相ずれが無くなるよう動作することによって画像・音声テ゛ータの位相差発生を防止することができる。
【００３０】
実施の形態３．
この実施の形態３では実施の形態１の画像・音声位相ずれ検出部３１０から画像・音声遅延メモリ３０３・３０５に位相ずれ補正値を通知する機能と、画像・音声の位相ずれ時間の許容値範囲をユーザが外部から入力する機能と、この許容範囲を保存する機能と、画像・音声位相ずれ検出部３１０にて算出された補正値にしたがって遅延量を調整する機能を拡張することによってユーザの許容範囲内で音声・画像テ゛ータの位相が一致するよう動作するＭＰＥＧ２テ゛コータ゛装置について説明を行なう。
図４は、この発明の実施の形態３におけるＭＰＥＧ２デコーダの概略構成図である。図４において、図１と同符号は同一または相当部分を示す。３１７は画像・音声の位相ずれ時間の許容範囲を外部から入力する入力部、３１８は許容範囲保存部である。
【００３１】
ＭＰＥＧ２テ゛コータ゛のテ゛ータ経路は実施の形態１と同一であるため説明を省略する。
【００３２】
画像・音声テ゛ータの位相ずれ検出までの動作は実施の形態１と同一であるため説明を省略する。
【００３３】
位相ずれの許容範囲は予めユーザによって入力部３１７から入力され、許容範囲保存部３１８に保存しておく。画像・音声位相ずれ検出部３１０にて検出された画像・音声テ゛ータの位相ずれが上記許容範囲を超えていないかチェックする。位相ずれが上記許容範囲を超えていれば、画像・音声の補正値を算出する。算出した補正値をそれぞれ画像・音声遅延メモリ３０３・３０５に設定することによって上記許容範囲に応じて画像・音声位相を制御することが可能になり上記許容範囲を超える画像・音声テ゛ータの位相差発生を防止することができる。
【００３４】
また、ユーザが外部から入力できるので、システムの状況に応じて許容値を変えることができ、柔軟な対応が可能である。
【００３５】
なお、上記の例では、許容値を入力部３１７より入力するようにしているが、これに限る必要はなく、例えば、サーバなどの他システムからダウンロードするようにしてもよい。
【００３６】
実施の形態４．
この実施の形態４では実施の形態１の画像・音声位相ずれ検出部３１０から画像・音声遅延メモリ３０３・３０５に位相ずれ補正値を通知する機能と、ユーザが外部より画像・音声の位相ずれ検出の監視周期を入力する機能と、当該監視周期を保存する機能と、画像・音声位相ずれ検出部３１０にて算出された補正値にしたがって遅延量を調整する機能を拡張することによって、ある一定監視周期で音声・画像テ゛ータの位相が一致するよう動作するＭＰＥＧ２テ゛コータ゛装置について説明を行なう。
図５は、この発明の実施の形態４におけるＭＰＥＧ２デコーダの概略構成図である。図５において、図１と同符号は同一または相当部分を示す。３１７は画像・音声の位相ずれ時間の許容範囲を外部から入力する入力部、３１９は監視周期保存部である。なお、ここでは、画像・音声位相ずれ検出部３１０は、タイマーを保有していることを前提とする。
【００３７】
ＭＰＥＧ２テ゛コータ゛のテ゛ータ経路は実施の形態１と同一であるため説明を省略する。
【００３８】
画像・音声テ゛ータの位相ずれ検出までの動作は実施の形態１と同一であるため説明を省略する。
【００３９】
位相ずれ検出の監視周期は予めユーザによって入力部３１７から入力され、監視周期保存部３１９に保存しておく。また、画像・音声位相ずれ検出部３１０に設けられたタイマー（図示せず）は、画像・音声位相ずれ検出部３１０が起動されたときに初期設定され、直後にカウントアップを開始する。そして、タイマーの値が監視周期と一致したときに発生する信号によって初期設定され、直後にカウントアップを再開する。
【００４０】
画像・音声位相ずれ検出部３１０は、監視周期保存部３１９に保存されている監視周期時間経過したかチェックを行ない、監視周期時間経過していれば画像・音声位相ずれ検出部３１０にて検出された画像・音声テ゛ータの位相ずれより、画像・音声の補正値を算出する。それぞれ画像・音声遅延メモリ３０３・３０５に補正値を設定することによってユーザ監視周期の要求に応じて画像・音声位相差発生を防止することができる。
【００４１】
また、ユーザが外部から入力できるので、システムの状況に応じて監視周期を変えることができ、柔軟な対応が可能である。
【００４２】
なお、上記の例では、監視周期を入力部３１７より入力するようにしているが、これに限る必要はなく、例えば、サーバなどの他システムからダウンロードするようにしてもよい。
【図面の簡単な説明】
【図１】本発明におけるＭＰＥＧ２デコーダの構成を示すブロック図である。
【図２】ＰＴＳ予測方法・補正方法を説明するブロック図である。
【図３】ＰＴＳ予測方法を説明するフローチャートである。
【図４】この発明の実施の形態３におけるＭＰＥＧ２デコーダの概略構成図である。
【図５】この発明の実施の形態４におけるＭＰＥＧ２デコーダの概略構成図である。
【図６】ＭＰＥＧ２におけるビットストリームの相互関係図である。
【図７】従来のＭＰＥＧ２デコーダの構成を示すブロック図である。
【符号の説明】
１０１　パックヘッダ
１０２　画像ＰＥＳパケット
１０３　音声ＰＥＳパケット
１０４　画像ＰＥＳヘッダ
１０５　音声ＰＥＳヘッダ
１０６　画像ＰＴＳ
１０７　音声ＰＴＳ
１０８　ＴＳパケット
１０９　ＴＳヘッダ、１１０　ＴＳペイロード
２００　システムデコーダ分離部
２０１　音声復号部
２０２　画像復号部
２０３　音声遅延メモリ
２０４　ＰＴＳ比較部
２０５　画像遅延メモリ
３００　システムデコーダ分離部
３０１　音声復号部
３０２　画像復号部
３０３　音声遅延メモリ
３０４　ＰＴＳ比較部
３０５　画像遅延メモリ
３０６　音声ＰＴＳ予測部
３０７　画像ＰＴＳ予測部
３０８　音声位相ずれ検出部
３０９　画像位相ずれ検出部
３１０　画像・音声位相ずれ検出部
３１１　音声出力制御メモリ
３１２　画像出力制御メモリ
３１３　データ書込部（音声）
３１４　データ書込部（画像）
３１５　データ読出部（音声）
３１６　データ読出部（画像）
３１７　入力部
３１８　許容値保存部
３１９　監視周期保存部
４００　システムデコーダ分離部
４０１　復号部
４０２　遅延メモリ
４０３　テ゛ータ書込部
４０４　出力制御メモリ
４０５　データ読出部
４０６　指定復号データ読出し開始検出部
４０７　ＰＴＳ加算部
４０８　ＰＴＳ予測部
４０９　位相ずれ検出部
【図１】
2004023686.tif 000003
【図２】
2004023686.tif 000004
【図３】
2004023686.tif 000005
【図４】
2004023686.tif 000006
【図５】
2004023686.tif 000007
【図６】
2004023686.tif 000008
【図７】
2004023686.tif 000009